(57)【要約】【課題】正しく取り付けることができる建設現場用・建造物用シートを提供する。【解決手段】建設現場用・建造物用シート１は、シート本体１０と、一対の支柱の間に複数の踏桟が設けられた梯子の様に形成された梯子状ロープ２０と、を備えている。梯子状ロープ２０は、一対の支柱における一方の支柱に相当する部分が、シート本体１０の縁に沿って配置された線状部材２１として機能し、複数の踏桟に相当する部分が、シート本体１０の縁に互いに間隔を空けて配置され、線状部材２１をシート本体１０に連結する複数の連結部材２２として機能し、少なくとも、一対の支柱における他方の支柱に相当する部分２３が、略Ｚ字形となるように折り返されているシート本体１０同士の間に挟み込まれていて、当該シート本体１０に糸Ｓで縫い付けられている。【選択図】図１
2020159037.tif 000002
【特許請求の範囲】
【請求項１】
シート本体と、
前記シート本体の縁に沿って配置された線状部材と、
前記シート本体の縁に互いに間隔を空けて配置され、前記線状部材を前記シート本体に連結する複数の連結部材と、を備えていることを特徴とする
建設現場用・建造物用シート。
【請求項２】
一対の支柱の間に複数の踏桟が設けられた梯子の様に形成された梯子状体を備え、
前記シート本体は、該シート本体の縁に沿った山折り線と谷折り線とで、断面視で略Ｚ字形となるように折り返されていて、
前記梯子状体は、
前記一対の支柱における一方の支柱に相当する部分が前記線状部材として機能し、
前記複数の踏桟に相当する部分が前記複数の連結部材として機能し、
少なくとも、前記一対の支柱における他方の支柱に相当する部分が、略Ｚ字形となるように折り返されている前記シート本体同士の間に挟み込まれていて、該シート本体に縫い付けられていることを特徴とする
請求項１に記載の建設現場用・建造物用シート。
【請求項３】
対象物に結束具で前記線状部材が結束されることで、前記対象物に取り付けられることを特徴とする
請求項１又は２に記載の建設現場用・建造物用シート。
【請求項４】
シート本体と、
前記シート本体の縁に沿って取り付けられ、多数の挿通孔を有する帯状部材と、を備えていることを特徴とする
建設現場用・建造物用シート。
【請求項５】
任意の前記挿通孔に結束具が通されて対象物に前記帯状部材が結束されることで、前記対象物に取り付けられることを特徴とする
請求項４に記載の建設現場用・建造物用シート。
【発明の詳細な説明】
【技術分野】
【０００１】
本発明は、建設現場用・建造物用シートに関する。
【背景技術】
【０００２】
建設現場等の仮設ゲート（仮設門扉）として、格子状に複数の菱目を形成するように複数の棒材を互いに交差させ、これら複数の棒材を、左右に伸縮するようにピンで互いに連結したものが普及している（例えば、特許文献１参照）。特許文献１に開示されている仮設ゲートは、目隠しとして、左右に伸縮するように複数のパネルを蛇腹状に連接したものを備えている。このようなパネルを備えていない仮設ゲートも普及しており、このような仮設ゲートに対しては、目隠しとして、特許文献２に開示されているようなシートを用いることがある。
【先行技術文献】
【特許文献】
【０００３】
【特許文献１】実開昭６０−０５１２９６号公報
【特許文献２】特開２００２−１７４０３５号公報
【発明の概要】
【発明が解決しようとする課題】
【０００４】
目隠しに用いるシートは、縁に沿った所定間隔の複数の箇所にハトメを備えており、ハトメに通した結束具で仮設ゲートに取り付けられる。ハトメの間隔と仮設ゲートにおけるシートを取り付ける箇所の間隔が一致しない場合、取り付けられたシートが弛み見栄えが悪くなるので、正しく取り付けられたとはいえない。
【０００５】
このような問題は、目隠しに用いるシートの場合に限定されず、建設現場用シートや建造物用シートの場合に共通して存在し得る。
【０００６】
本発明は、上記課題を鑑みてなされたものであり、正しく取り付けることができる建設現場用・建造物用シートを提供することを目的とする。
【課題を解決するための手段】
【０００７】
（１）本発明は、シート本体と、前記シート本体の縁に沿って配置された線状部材と、前記シート本体の縁に互いに間隔を空けて配置され、前記線状部材を前記シート本体に連結する複数の連結部材と、を備えていることを特徴とする建設現場用・建造物用シートである。
【０００８】
本発明によれば、建設現場用・建造物用シートの縁に沿った任意の箇所に結束具を通すことができるので、建設現場用・建造物用シートを取り付ける箇所に関係なく、建設現場用・建造物用シートを弛ませずにピンと張らせることができる。
【０００９】
（２）本発明はまた、一対の支柱の間に複数の踏桟が設けられた梯子の様に形成された梯子状体を備え、前記シート本体は、該シート本体の縁に沿った山折り線と谷折り線とで、断面視で略Ｚ字形となるように折り返されていて、前記梯子状体は、前記一対の支柱における一方の支柱に相当する部分が前記線状部材として機能し、前記複数の踏桟に相当する部分が前記複数の連結部材として機能し、少なくとも、前記一対の支柱における他方の支柱に相当する部分が、略Ｚ字形となるように折り返されている前記シート本体同士の間に挟み込まれていて、該シート本体に縫い付けられていることを特徴とする上記（１）に記載の建設現場用・建造物用シートである。
【００１０】
本発明によれば、梯子状ロープを備えていることで、建設現場用・建造物用シートを短時間で容易に製造することができる。
【００１１】
（３）本発明はまた、対象物に結束具で前記線状部材が結束されることで、前記対象物に取り付けられることを特徴とする上記（１）又は（２）に記載の建設現場用・建造物用シートである。
【００１２】
（４）本発明はまた、シート本体と、前記シート本体の縁に沿って取り付けられ、多数の挿通孔を有する帯状部材と、を備えていることを特徴とする建設現場用・建造物用シートである。
【００１３】
本発明によれば、建設現場用・建造物用シートの縁に沿った任意の箇所に結束具を通すことができるので、建設現場用・建造物用シートを取り付ける箇所に関係なく、建設現場用・建造物用シートを弛ませずにピンと張らせることができる。
【００１４】
（５）本発明はまた、任意の前記挿通孔に結束具が通されて対象物に前記帯状部材が結束されることで、前記対象物に取り付けられることを特徴とする上記（４）に記載の建設現場用・建造物用シートである。
【発明の効果】
【００１５】
本発明の上記（１）〜（５）に記載の建設現場用・建造物用シートによれば、正しく取り付けることができる。
【図面の簡単な説明】
【００１６】
【図１】本発明の実施形態に係る建設現場用・建造物用シートの正面図である。
【図２】図１の矢印II−II方向に視た建設現場用・建造物用シートの断面図である。
【図３】本発明の実施形態に係る建設現場用・建造物用シートの使用状態を示す写真である。
【図４】本発明の実施形態に係る建設現場用・建造物用シートの使用状態を示す拡大写真である。
【図５】本発明の別の実施形態に係る建設現場用・建造物用シートが備える帯状部材の正面図であり、（Ａ）は多数の挿通孔が長手方向に沿って連続して配置されている帯状部材を示し、（Ｂ）は多数の挿通孔が形成されるように編み込まれた帯状部材を示す。
【発明を実施するための形態】
【００１７】
以下、図面を参照して、本発明の実施形態に係る建設現場用・建造物用シート１について詳細に説明する。
【００１８】
まず、図１〜図４を用いて、本発明の実施形態に係る建設現場用・建造物用シート１の構造について説明する。
【００１９】
図１は、建設現場用・建造物用シート１の正面図である。図２は、図１の矢印II−II方向に視た建設現場用・建造物用シート１の断面図である。図３は、建設現場用・建造物用シート１の使用状態を示す写真である。図４は、建設現場用・建造物用シート１の使用状態を示す拡大写真である。
【００２０】
図１及び図２に示す建設現場用・建造物用シート１は、対象物となる仮設門扉Ｇ（図３及び図４参照）に結束具Ｔ（図３及び図４参照）で取り付けられ、仮設門扉Ｇ（図３及び図４参照）の目隠しとして用いられる。具体的に、建設現場用・建造物用シート１は、シート本体１０と、梯子状ロープ２０と、ウエイト３０と、を備えている。
【００２１】
シート本体１０は、例えばポリエステルやポリ塩化ビニルからなり、例えば縦１５００ｍｍ×横４０００ｍｍの寸法を有している。
【００２２】
シート本体１０における上縁には、梯子状ロープ２０が取り付けられている。具体的に、シート本体１０は、上縁に沿った山折り線と谷折り線とで、少なくとも断面視で略Ｚ字形となる部分を含むように折り返されている。なお、シート本体１０は、強度向上等の理由から複数の山折り線と谷折り線とで、断面視で略Ｚ字型となる部分を含むように複数回、例えば九十九折様に折り返されていてもよい。そして、梯子状ロープ２０は、少なくとも符号２３に示す部分が、略Ｚ字形となるように折り返されているシート本体１０同士の間に挟み込まれていて、当該シート本体１０に糸Ｓで縫い付けられている。
【００２３】
シート本体１０における両側縁には、それぞれ、梯子状ロープ２０が取り付けられている。具体的に、シート本体１０は、各側縁に沿った山折り線と谷折り線とで、断面視で略Ｚ字形となるように折り返されている。そして、梯子状ロープ２０は、少なくとも符号２３に示す部分が、略Ｚ字形となるように折り返されているシート本体１０同士の間に挟み込まれていて、当該シート本体１０に糸Ｓで縫い付けられている。
【００２４】
シート本体１０における下縁には、ウエイト３０が取り付けられている。
【００２５】
梯子状ロープ２０は、一対の支柱の間に複数の踏桟が設けられた梯子の様に形成され、シート本体１０の上縁又は両側縁の長さに対応した長さを有している。
【００２６】
この梯子状ロープ２０は、一対の支柱における一方の支柱に相当する部分が、シート本体１０の縁に沿って配置された線状部材２１として機能する。そして、梯子状ロープ２０は、複数の踏桟に相当する部分が、シート本体１０の縁に互いに間隔を空けて配置され、線状部材２１をシート本体１０に連結する複数の連結部材２２として機能する。また、梯子状ロープ２０は、少なくとも、一対の支柱における他方の支柱に相当する部分２３が、略Ｚ字形となるように折り返されているシート本体１０同士の間に挟み込まれていて、当該シート本体１０に糸Ｓで縫い付けられている。
【００２７】
このような梯子状ロープ２０には、長塩産業株式会社（東京都足立区）が市販する洗濯ロープ「ハンガーストップ」や、ニシダ株式会社（静岡県藤枝市）が市販するロープ「ランドリーロープ」等を採用することができる。
【００２８】
ウエイト３０は、建設現場用・建造物用シート１が風で煽られることを防止するためのものである。このウエイト３０は、シート本体１０の下縁の長さに対応した長さを有している。具体的に、ウエイト３０は、シート本体１０の下縁に沿って配置され、当該シート本体１０に糸（図示省略）で縫い付けられている。
【００２９】
図３に示すように、仮設門扉Ｇは、格子状に複数の菱目を形成するように複数の棒材を互いに交差させ、これら複数の棒材を、左右に伸縮するようにピンで互いに連結したものである。図３及び図４に示すように、建設現場用・建造物用シート１は、対象物となる仮設門扉Ｇに複数の結束具Ｔ（例えば、インシュロック（登録商標）等の結束バンド）で線状部材２１が結束されることで、仮設門扉Ｇに取り付けられる。
【００３０】
このように、建設現場用・建造物用シート１によれば、当該建設現場用・建造物用シート１の縁に沿った任意の箇所に結束具Ｔを通すことができるので、当該建設現場用・建造物用シート１を取り付ける箇所に関係なく、当該建設現場用・建造物用シート１を弛ませずにピンと張らせることができる。すなわち、建設現場用・建造物用シート１によれば、正しく取り付けることができる。
【００３１】
そして、建設現場用・建造物用シート１によれば、梯子状ロープ２０を備えていることで、建設現場用・建造物用シート１を短時間で容易に製造することができる。また、建設現場用・建造物用シート１によれば、シート本体１０の下縁に沿ってウエイト３０が設けられているので、風に煽られにくい。
【００３２】
本発明は、上記実施形態に限られるものではなく、その趣旨及び技術思想を逸脱しない範囲で種々の変形が可能である。すなわち、各構成の位置、大きさ、長さ、数量、形状、材質などは適宜変更できる。
【００３３】
例えば、上記実施形態において、建設現場用・建造物用シート１が仮設門扉Ｇの目隠しとして用いられる場合を例に説明したが、本発明はこれに限定されず、資材を覆うカバーや落下防止用のシート等の建設現場のあらゆる用途、あるいは、風雨除けのいわゆるブルーシート等のように建造物に対するあらゆる用途に用いられてもよい。
【００３４】
あるいは、上記実施形態において、梯子状ロープ２０が梯子状体を構成する場合、具体的には、ロープが線状部材２１を構成する場合を例に説明したが、本発明はこれに限定されず、ワイヤーやコードその他の線材が梯子状体すなわち線状部材２１を構成するようにしてもよい。
【００３５】
なお、梯子状体とは、一対の支柱の間に複数の踏桟が設けられた梯子の様に形成されたもののことであり、これに対して余分なもの等他のものを含むものを排除する意味合いではない。例えば、梯子状体の意味には、一対の支柱の間に複数の踏桟が設けられていると共に、一対の支柱の間に当該一対の支柱と平行となる第三の支柱が設けられ、格子状を形成した様なものを含む。
【００３６】
あるいは、上記実施形態において、梯子状体（梯子状ロープ２０）すなわち線状部材２１を備えている場合を例に説明したが、本発明はこれに限定されず、梯子状体（梯子状ロープ２０）すなわち線状部材２１に代えて、シート本体１０の縁に沿って縫い付けられること等によって取り付けられ、多数の挿通孔を有する帯状部材を備えているものであってもよい。帯状部材としては、図５（Ａ）に示すように、多数の挿通孔４１が長手方向に沿って連続して配置されている帯状部材４０や、図５（Ｂ）に示すように、多数の挿通孔５１が形成されるように編み込まれた帯状部材５０等が考えられる。
【００３７】
あるいは、上記実施形態において、シート本体１０の下端縁に沿ってウエイト３０が配置されている場合を例に説明したが、本発明はこれに限定されず、当該ウエイト３０が配置されていなくてもよい。この場合、シート本体１０の下端縁に沿って梯子状ロープ２０が配置されていてもよい。
【符号の説明】
【００３８】
１  建設現場用・建造物用シート
１０  シート本体
２０  梯子状ロープ（梯子状体）
２１  線状部材
２２  連結部材
２３  部分
３０  ウエイト
４０，５０  帯状部材
４１，５１  挿通孔
Ｓ  糸
Ｇ  仮設門扉（対象物）
Ｔ  結束具
【図１】
2020159037.tif 000003
【図２】
2020159037.tif 000004
【図３】
2020159037.tif 000005
【図４】
2020159037.tif 000006
【図５】
2020159037.tif 000007
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
シート本体と、
一対の支柱の間に複数の踏桟が設けられた梯子の様に形成された梯子状体と、を備え、
前記シート本体は、該シート本体の縁に沿った山折り線と谷折り線とで、断面視で略Ｚ字形となるように折り返されていて、
前記梯子状体は、
少なくとも、前記一対の支柱における一方の支柱に相当する部分が、略Ｚ字形となるように折り返されている前記シート本体同士の間に挟み込まれていて、該シート本体に縫い付けられ、
前記一対の支柱における他方の支柱に相当する部分が、前記シート本体の縁に沿って配置された線状部材として機能し、
前記複数の踏桟に相当する部分が、前記シート本体の縁に互いに間隔を空けて配置され、前記線状部材を前記シート本体に連結する複数の連結部材として機能していることを特徴とする
建設現場用・建造物用シート。
【請求項２】
対象物に結束具で前記線状部材が結束されることで、前記対象物に取り付けられることを特徴とする
請求項１に記載の建設現場用・建造物用シート。
【手続補正２】
【補正対象書類名】明細書
【補正対象項目名】０００７
【補正方法】変更
【補正の内容】
【０００７】
（１）本発明は、シート本体と、一対の支柱の間に複数の踏桟が設けられた梯子の様に形成された梯子状体と、を備え、前記シート本体は、該シート本体の縁に沿った山折り線と谷折り線とで、断面視で略Ｚ字形となるように折り返されていて、前記梯子状体は、少なくとも、前記一対の支柱における一方の支柱に相当する部分が、略Ｚ字形となるように折り返されている前記シート本体同士の間に挟み込まれていて、該シート本体に縫い付けられ、前記一対の支柱における他方の支柱に相当する部分が、前記シート本体の縁に沿って配置された線状部材として機能し、前記複数の踏桟に相当する部分が、前記シート本体の縁に互いに間隔を空けて配置され、前記線状部材を前記シート本体に連結する複数の連結部材として機能していることを特徴とする建設現場用・建造物用シートである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
また、本発明によれば、梯子状ロープを備えていることで、建設現場用・建造物用シートを短時間で容易に製造することができる。
【手続補正５】
【補正対象書類名】明細書
【補正対象項目名】００１１
【補正方法】変更
【補正の内容】
【００１１】
（２）本発明はまた、対象物に結束具で前記線状部材が結束されることで、前記対象物に取り付けられることを特徴とする上記（１）に記載の建設現場用・建造物用シートである。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
本発明の上記（１）及び（２）に記載の建設現場用・建造物用シートによれば、正しく取り付けることができる。
【手続補正１０】
【補正対象書類名】明細書
【補正対象項目名】００１６
【補正方法】変更
【補正の内容】
【００１６】
【図１】本発明の実施形態に係る建設現場用・建造物用シートの正面図である。
【図２】図１の矢印II−II方向に視た建設現場用・建造物用シートの断面図である。
【図３】本発明の実施形態に係る建設現場用・建造物用シートの使用状態を示す写真である。
【図４】本発明の実施形態に係る建設現場用・建造物用シートの使用状態を示す拡大写真である。
【手続補正１１】
【補正対象書類名】明細書
【補正対象項目名】００３６
【補正方法】削除
【補正の内容】
【手続補正１２】
【補正対象書類名】明細書
【補正対象項目名】００３８
【補正方法】変更
【補正の内容】
【００３８】
１  建設現場用・建造物用シート
１０  シート本体
２０  梯子状ロープ（梯子状体）
２１  線状部材
２２  連結部材
２３  部分
３０  ウエイト
Ｓ  糸
Ｇ  仮設門扉（対象物）
Ｔ  結束具
【手続補正１３】
【補正対象書類名】図面
【補正対象項目名】図５
【補正方法】削除
【補正の内容】